(57)【要約】【課題】構成が簡単で、既設のエレベーター装置への後付が容易な、低コストのエレベータードア装置を得る。【解決手段】エレベーターの出入口を構成する出入口枠２に設けられ、出入口枠２とエレベータードア１との間の隙間を塞ぐための隙間塞ぎ装置８を備え、隙間塞ぎ装置８は、少なくとも１対の平行な側面を有し、前記１対の平行な側面のうちの一方を可動端とし、他方側を軸として、回動可能に設けられた作動板８ａと、作動板８ａの前記一方の側面がエレベータードア１に当接するように、作動板８ａを回転付勢する付勢部８ｂと、出入口枠２に固定され、付勢部８ｂを支持する支持部８ｃとを有している。【選択図】図３
2015227225.tif 000002
【特許請求の範囲】
【請求項１】
出入口を構成する出入口枠と前記出入口枠と隙間を隔てて開閉動作するエレベータードアとを有するエレベータードア装置であって、
前記出入口枠に設けられ、前記隙間を塞ぐための隙間塞ぎ装置を備え、
前記隙間塞ぎ装置は、
少なくとも１対の平行な側面を有し、前記１対の平行な側面のうちの一方を可動端とし、他方側を軸として、回動可能に設けられた作動板と、
前記作動板の前記一方の側面が前記エレベータードアに当接するように、前記作動板を回転付勢する付勢部と、
前記出入口枠に固定され、前記付勢部を支持する支持部と
を有している
エレベータードア装置。
【請求項２】
前記隙間塞ぎ装置は、前記出入口枠の縦枠に、垂直方向に並べて複数個配置される
請求項１に記載のエレベータードア装置。
【請求項３】
前記エレベータードアに当接する前記作動板の前記一方の側面の先端部分を、前記作動板の本体部分に比べて摩擦係数が小さい材質で構成する
請求項１または２に記載のエレベータードア装置。
【請求項４】
前記エレベータードアに当接する前記作動板の前記一方の側面の表面に凹凸を設ける
請求項１から３までのいずれか１項に記載のエレベータードア装置。
【発明の詳細な説明】
【技術分野】
【０００１】
この発明はエレベータードア装置に関し、特に、出入口を開閉するエレベーター扉の戸袋への引き込まれを防止するためのエレベータードア装置に関する。
【背景技術】
【０００２】
利用者の手および荷物といった異物がエレベーター扉の戸袋へ引き込まれるのを防止するための機構は、例えば特許文献１で提案されている。特許文献１のエレベーターの扉装置は、エレベーターのかごの出入口を構成する出入口柱、及び、乗場の出入口を構成する三方枠の縦枠の少なくとも一方に設けられ、かご扉と出入口柱との間に形成される隙間及び乗場扉と三方枠の縦枠との間に形成される隙間の少なくとも一方を塞ぐ戸の隙間塞ぎ装置を備えている。
【０００３】
また、当該戸の隙間塞ぎ装置は、出入口柱上部に軸支される回転制御部材と、かごの敷居上面又は出入口柱下部に軸支される回転補助部材と、回転制御部材と回転補助部材との間に設けられる塞ぎ板から構成されている。
【０００４】
さらに、上記回転制御部材は、出入口柱上部に固定され、ストッパーが固定される軸受け具と、上端が軸受け具に軸支される軸と、軸の下端に固定され外側へ延びる突起部を有する上端部円板と、軸に挿通され、一端が軸受け具に固定され、他端が上端部円板に固定され、上端部円板を常時付勢するばねと、上端部円板下面に固定されるピンと、かご扉の出入口柱側上部に固定される作動片を備えている。
【０００５】
上記構成により、かご扉又は乗場扉の戸閉中、戸開中、全閉時は、ばねの付勢力により上端部円板の突起部がストッパーに当接され、塞ぎ板が戸の隙間塞ぎ装置との対向面と微小距離を保持し、かご扉又は乗場扉の全開時は、作動片がピンに当接され、塞ぎ板がかご扉の戸当り面側からかご扉と出入口柱との間の隙間を塞ぐように回転が制御される。
【先行技術文献】
【特許文献】
【０００６】
【特許文献１】特開２００８−０１９０１１号公報
【発明の概要】
【発明が解決しようとする課題】
【０００７】
特許文献１に記載の隙間塞ぎ装置は、上記のように構成されているので、部品点数が多く、構造が複雑で、製造コストがかかるだけでなく、かご側に設けられている出入口柱やエレベーター扉への加工が必要なため、既設のエレベーター装置への後付が困難であるという問題点があった。
【０００８】
また、塞ぎ板が、連続した一枚板から構成されているため、ドア面の湾曲や、わずかな傾きや撓み、ドアの振り子動作に塞ぎ板が追従できず、部分的に塞ぎ板との間の隙間が大きくなってしまう可能性があるという問題点があった。
【０００９】
この発明は、かかる問題点を解決するためになされたものであり、簡単な構成でエレベータードアと出入口枠との間の隙間を確実に塞ぐことができ、かつ、既設のエレベーター装置への後付が容易な、低コストのエレベータードア装置を得ることを目的としている。
【課題を解決するための手段】
【００１０】
この発明は、出入口を構成する出入口枠と前記出入口枠と隙間を隔てて開閉動作するエレベータードアとを有するエレベータードア装置であって、前記出入口枠に設けられ、前記隙間を塞ぐための隙間塞ぎ装置を備え、前記隙間塞ぎ装置は、少なくとも１対の平行な側面を有し、前記１対の平行な側面のうちの一方を可動端とし、他方側を軸として、回動可能に設けられた作動板と、前記作動板の前記一方の側面が前記エレベータードアに当接するように、前記作動板を回転付勢する付勢部と、前記出入口枠に固定され、前記付勢部を支持する支持部とを有しているエレベータードア装置である。
【発明の効果】
【００１１】
この発明のエレベータードア装置においては、回動可能に設けられた作動板と、それを付勢する付勢部とから構成した隙間塞ぎ装置を、出入口枠に設ける構成としたので、低コストの簡単な構成でエレベータードアと出入口枠との間の隙間を確実に塞ぐことができ、かつ、エレベータードアやかご側への加工が不要なため、既設のエレベーター装置への後付が容易な、エレベータードア装置を得ることができる。
【図面の簡単な説明】
【００１２】
【図１】この発明の実施の形態１に係るエレベータードア装置の構成を示した正面図である。
【図２】この発明の実施の形態１に係るエレベータードア装置の隙間塞ぎ装置の取付例を示した正面図である。
【図３】この発明の実施の形態１に係るエレベータードア装置の隙間塞ぎ装置の構成を示した構成図である。
【図４】この発明の実施の形態１に係るエレベータードア装置の隙間塞ぎ装置の引き込まれ防止前の動作を示した上面図である。
【図５】この発明の実施の形態１に係るエレベータードア装置の隙間塞ぎ装置の引き込まれ防止中の動作を示した上面図である。
【図６】この発明の実施の形態１に係るエレベータードア装置の隙間塞ぎ装置のエレベータードア全開中の動作を示した上面図である。
【図７】この発明の実施の形態１に係るエレベータードア装置の隙間塞ぎ装置の摩擦力を小さくした場合の作動板の構成例を示した側面図である。
【発明を実施するための形態】
【００１３】
実施の形態１．
図１および図２は、この発明の実施の形態１に係るエレベータードア装置を乗場側から見た正面図である。ただし、図１及び図２においては、図の簡略化のため、図２においては、図１に示した符号６，７の構成を省略しており、図１では、図２の符号８の構成を省略している。
【００１４】
図１に示すように、本実施の形態１に係るエレベータードア装置は、乗場ドア及びかごドアからなるエレベータードア１と、その周囲の乗場壁３に固定された出入口枠２とから構成されている。
出入口枠２は、左右両側に立設された第１縦枠２ａ及び第２縦枠２ｂと、第１縦枠２ａ及び第２縦枠２ｂの上部間で両者を連結して設けられた上枠２ｃとを備え、乗場４とともに乗場出入口を形成している。
なお、エレベータードア１において、乗場ドアは乗場４に設けられ、かごドアはかご（図示せず）に設けられているが、これらのドアは、かごが乗場４に到着したときに、互いに係合されて同期して左右に移動し、乗場出入口を開閉する。
【００１５】
また、図１に示すように、出入口枠２の第１縦枠２ａには、乗場４にいる利用者５にかごの到着を報知する位置表示器６と、利用者５が乗場呼びを登録する乗場釦７とが設けられている。
【００１６】
また、本実施の形態においては、出入口枠２の第１縦枠２ａおよび第２縦枠２ｂには、図２に示すように、隙間塞ぎ装置８が複数個設置されている。隙間塞ぎ装置８は、出入口枠２とエレベータードア１との間に形成された隙間に異物が引き込まれるのを防止するために、当該隙間を塞ぐために設置される装置である。従って、隙間塞ぎ装置８は、利用者の手または荷物といった何らかの異物が引き込まれる可能性がある部分（高さ位置）に少なくとも設置する。具体的には、例えば、図２の例では、利用者５が成人の場合を想定して、当該利用者５の膝より下の位置に相当する乗場４の床面から３０ｃｍの高さ位置から、利用者５の首より上の位置に相当する乗場４の床面から１３０ｃｍの高さ位置までの、のべ１００ｃｍに亘って、縦方向に並べて設置されている。しかしながら、この設置範囲は、これに限定されるものではなく、さらに広範囲でもよく、あるいは、さらに狭い範囲でもよく、使用環境等に合わせて、適宜任意に設定すればよい。
【００１７】
また、図２の例では、第１縦枠２ａに４個、第２縦枠２ｂに４個、計８個の隙間塞ぎ装置８が設置されている。各隙間塞ぎ装置８は、隙間を塞ぐための動きを互いに独立して行うため、このように複数個の隙間塞ぎ装置８を取り付けることで、エレベータードア１の傾きやわずかな撓みなどにも追従でき、エレベータードア１と出入口枠２との間の隙間を満遍なく確実に塞ぐことができる。また、いずれかの隙間塞ぎ装置８が摩耗または故障した場合には、摩耗または故障した部分のみを交換することができる。さらに、隙間塞ぎ装置８は、特許文献１に記載の従来の隙間塞ぎ装置に比べて、一つ一つの大きさが小さく、設置作業が容易である。なお、図２の例は一例であり、任意の個数の隙間塞ぎ装置８を適宜設けるようにすればよい。
【００１８】
図３に、隙間塞ぎ装置８の構成を示す。図３は、隙間塞ぎ装置８を出入口枠２の第１縦枠２ａに設けた場合についてのみ図示しているが、隙間塞ぎ装置８を出入口枠２の第２縦枠２ｂに設けた場合の構成についても同様であるため、ここでは図示および説明を省略する。
隙間塞ぎ装置８は、上述したように、エレベータードア１が矢印Ａ方向に開閉動作する際に、エレベータードア１と出入口枠２との間に形成された隙間Ｌに異物が引き込まれるのを防止するために、隙間Ｌを塞ぐために設けられる装置である。
図３（ａ）は、隙間塞ぎ装置８の構成を示した上面図である。隙間塞ぎ装置８は、図３（ａ）に示すように、回動可能に設けられた作動板８ａと、作動板８ａの１つの側面がエレベータードア１に当接するように矢印Ｂ方向に作動板８ａを回転付勢する付勢部８ｂと、出入口枠２に固定され、付勢部８ｂを支持する支持部８ｃとから構成されている。
【００１９】
作動板８ａは、少なくとも１対の平行な側面を有する矩形の板状部材から構成され、当該１対の側面のうちの一方が自由端（可動部分）で、他方側は付勢部８ｂに連結されている。支持部８ｃは、図３（ａ）に示すように、出入口枠２にねじ８ｄにより固定されている。付勢部８ｂは、十分な旋回性と復元力とを有し、作動板８ａの当該他方側の側面を軸として、作動板８ａを矢印Ｂ方向に回転付勢する。これにより、作動板８ａの自由端（可動部分）である当該一方の側面が、エレベータードア１に当接する。当接する方向は、エレベータードア１の開閉方向（矢印Ａ方向）に垂直な方向（矢印Ｃ方向）になる。また、エレベータードア１に傾きや撓みがあって、エレベータードア１に押されて作動板８ａが矢印Ｂ方向と逆向きに若干回動した場合にも、付勢部８ｂの復元力により、直ちに、作動板８ａが矢印Ｂ方向に付勢され、作動板８ａの自由端（可動部分）である当該一側面はエレベータードア１に再び当接される。こうして、作動板８ａの自由端（可動部分）である当該一側面は、エレベータードア１の移動に追随して、エレベータードア１に常に当接されることになる。
作動板８ａは、利用者５の指や荷物の引き込まれ防止動作や、利用者５からのいたずらに対して永久変形しないように、十分な剛性と柔軟性を有した樹脂や金属などで構成する。
付勢部８ｂは、十分な旋回性と復元力を持つ必要があるため、それを満たす部材で構成する。具体的には、例えば図３（ｂ）に示すような、バネを有するヒンジ構造で構成し、図３（ｃ）のように、出入口枠２および作動板８ａにねじ８ｄにより取り付ける。この場合には、ヒンジの出入口枠２側の片側部分が、支持部８ｃとなる。また、付勢部８ｂは、このようなヒンジ構造に限らず、例えば、十分な旋回性と復元力を満たす、柔軟に撓む可撓性のある樹脂の板から構成するようにしてもよい。なお、その場合には、作動板８ａと付勢部８ｂとを一体成型してもよい。
【００２０】
次に、図２、図４〜図６を用いて、本実施の形態に係る隙間塞ぎ装置８の動作について説明する。図４は引き込まれ防止前の上面図、図５は引き込まれ防止中の上面図、図６はエレベータードア全開中の上面図を示す。
【００２１】
まず、図２及び図４を用いて、引き込まれ防止前の状態について説明する。上述したように、エレベータードア１と出入口枠２との間に形成された隙間Ｌに対して、隙間塞ぎ装置８が設けられている。隙間塞ぎ装置８の作動板８ａの一側面は、付勢部８ｂにより付勢される自由端（可動部分）となっており、エレベータードア１に押し付けられる方向（図３のＢ方向）に付勢部８ｂによる復元力が常に働いているため、常に、エレベータードア１に当接している。このとき、図２及び図４に示すように、利用者５がエレベータードア１に寄り掛かっていると、寄り掛かっている当該利用者５の手または荷物は、エレベータードア１の戸開動作に追従して、出入口枠２に近づいていく。
【００２２】
エレベータードア１の戸開動作がさらに進行すると、図５に示すように、利用者５が隙間塞ぎ装置８に接触する状態になる。その状態になると、作動板８ａがエレベータードア１に押し付けられるものの、作動板８ａが隙間Ｌを完全に塞いでいるため、利用者５の手や荷物がエレベータードア１と出入口枠２との間の隙間Ｌに入り込むことや隙間Ｌに引き込まれることは確実に防止される。
【００２３】
エレベータードア１の戸開動作がさらに進行すると、図６に示すように、エレベータードア１が全開の状態となる。この状態においては、隙間塞ぎ装置８の作動板８ａは、付勢部８ｂの復元力により、エレベータードア１の戸当り面に押し付けられている。このように、隙間塞ぎ装置８の作動板８ａは、エレベータードア１が全開しても、エレベータードア１の動きに追従して、エレベータードア１と出入口枠２との間の隙間Ｌを塞ぐ位置まで旋回するので、エレベータードア１が全開の状態で、かごが停止階に停止していても、利用者５の手や荷物がエレベータードア１と出入口枠２との間の隙間Ｌに入り込むことが防止され、急にエレベータードア１の閉動作が開始されても、利用者５の手や荷物が隙間Ｌに引き込まれることは確実に防止される。なお、図６から分かるように、作動板８ａの幅（上記１対の側面間の距離（すなわち、可動端の一側面と軸側の他側面との間の距離））が隙間Ｌよりも長くなるように、作動板８ａは形成されている。
【００２４】
なお、作動板８ａとエレベータードア１との間の摩擦力は、小さくする方が望ましい。その理由としては、作動板８ａとの摩擦が大きいと、作動板８ａによってエレベータードア１に傷が付く可能性があるからである。摩擦力を小さくするためには、作動板８ａのエレベータードア１に接触する部分を、摩擦係数の小さな素材で構成したり、あるいは、小さな凹凸を付けてエレベータードア１と点接触するようにすればよい。当該構成にすることにより、エレベータードア１との間の摩擦力を極力小さくすることができる。
【００２５】
図７は、摩擦力を小さくした場合の作動板８ａの構成例を示した側面図である。
図７（ａ）は、作動板８ａのエレベータードア１に接触する側面の先端部分８ｅだけを、摩擦係数の小さい材質で構成した例である。作動板８ａの本体（先端部分８ｅ部分以外）自体は、上述したように、十分な剛性と柔軟性を有した樹脂や金属などで構成する。一方、作動板８ａの先端部分８ｅだけを摩擦係数の小さい異なる材質で構成し、作動板８ａの本体に接合する。あるいは、先端部分８ｅに被せるカバーを摩擦係数の小さい異なる材質で構成し、作動板８ａの先端部分８ｅに当該カバーを被せる。
図７（ｂ）は、エレベータードア１に接触する作動板８ａの側面の表面８ｆに、小さな凹凸を付けて、エレベータードア１と点接触するようにした例である。図７（ｂ）に示す例では、作動板８ａの表面８ｆに、小さな突起が複数個設けられている。突起の大きさ、および、突起を配置する間隔は、適宜、任意に設定する。
図７（ｃ）は、作動板８ａのエレベータードア１に接触する側面の先端部分８ｇだけを、摩擦係数の小さい材質で構成し、さらに、その表面に、小さな凹凸を付けて、エレベータードア１と点接触するようにした例である。図７（ｃ）の例は、先端部分８ｇが摩擦係数の小さい材質で構成されているため、突起部の摩擦力が図７（ｂ）よりも小さいため、突起部の大きさを図７（ｂ）よりも大きくしているが、十分に小さい摩擦力が期待できる。
このように、図７（ａ）〜（ｃ）に示すように、作動板８ａのエレベータードア１に接触する側面部分を、摩擦係数の小さな材質で構成したり、あるいは、小さな凹凸を付けてエレベータードア１と点接触するようにして、エレベータードア１との間の摩擦力を極力小さくすることで、エレベータードア１に傷を付けず、摩擦音も静かで、摩耗しにくくすることができる。
【００２６】
以上のように、本実施の形態においては、出入口を構成する出入口枠２と出入口枠２と隙間Ｌを隔てて開閉動作するエレベータードア１とを有するエレベータードア装置であって、出入口枠２に設けられ、隙間Ｌを塞ぐための隙間塞ぎ装置８を備え、隙間塞ぎ装置８は、少なくとも１対の平行な側面を有し、当該１対の平行な側面のうちの一方を可動端とし、他方側を軸として、回動可能に設けられた作動板８ａと、作動板８ａの前記一方の側面がエレベータードア１に当接するように、作動板８ａを回転付勢する付勢部８ｂと、出入口枠２に固定され、付勢部８ｂを支持する支持部８ｃとを有している。このように、本実施の形態における隙間塞ぎ装置８は、簡単な構成であるため、製造コストを低く抑えることができる。また、隙間塞ぎ装置８は、出入口枠２側に設ける構成としたので、エレベータードア１への加工は不要となり、従って、既設のエレベーター装置に、容易に後付けすることができるとともに、いかなるタイプのエレベーター装置にも適用可能である。
【００２７】
また、本実施の形態においては、隙間塞ぎ装置８を出入口枠２の縦枠に垂直方向に並べて配置するようにした。特許文献１に記載の従来装置では、塞ぎ板が連続した１枚の板から構成されていたため、エレベータードア１の傾きやわずかな撓みなどに追従できず、部分的に塞ぎ板が浮いて、エレベータードア１との間に隙間が発生することがあった。これに対し、本実施の形態では、複数個の隙間塞ぎ装置８を縦に配列するようにした。各隙間塞ぎ装置８の作動板８ａは互いに独立した動作を行うので、作動板８ａを複数個取り付けることで、エレベータードア１の傾きやわずかな撓みなどにも追従し、作動板８ａが部分的に浮いてエレベータードア１から離れることがないため、作動板８ａとエレベータードア１との隙間を最小に保つことができる。また、摩耗や故障した場合にも、摩耗や故障した部分の隙間塞ぎ装置８のみを交換することができる。さらに、隙間塞ぎ装置８の一つ一つの大きさが小さいため、特許文献１に記載のような大きな装置を設置する場合に比べて、設置作業が容易である。
【００２８】
また、本実施の形態では、作動板８ａがエレベータードア１に接触する部分を、摩擦係数の小さな材質で構成したり、小さな凹凸を付けてエレベータードア１と点接触するようにしたりして、エレベータードア１との間の摩擦力を極力小さくすることで、エレベータードア１に傷を付けず、摩擦音も静かで、摩耗しにくくすることができる。
【００２９】
なお、上記の実施の形態の説明では、隙間塞ぎ装置８を乗場ドア側に設けて、乗場ドアと出入口枠２との間の隙間Ｌを塞ぐ例を挙げて説明したが、その場合に限らず、隙間塞ぎ装置８をかごドア側に設けて、かごドアとかご側に設けられた出入口柱との間の隙間を塞ぐ装置として用いてよいことは言うまでもない。この場合においても、図３（ｃ）に示すように、簡単にねじ止めだけで隙間塞ぎ装置を設置することができるため、かご側ドアの加工が必要といっても、非常に簡単な作業で取り付けることができる。また、かご側に設置した場合にも、同様の効果を奏することができる。さらに、隙間塞ぎ装置８を、乗場ドア側およびかごドア側の両方に設けるようにしてもよい。
【符号の説明】
【００３０】
１  エレベータードア、２  出入口枠、３  乗場壁、４  乗場、５  利用者、６  位置表示器、７  乗場釦、８  隙間塞ぎ装置。
【図１】
2015227225.tif 000003
【図２】
2015227225.tif 000004
【図３】
2015227225.tif 000005
【図４】
2015227225.tif 000006
【図５】
2015227225.tif 000007
【図６】
2015227225.tif 000008
【図７】
2015227225.tif 000009